(57)【要約】【課題】  着用する者同士が十分に満足できる程度に、両者の誓いや思いを表現でき、且つ男性や高齢者でも気負うことなく着用できる装身具を提供する。【解決手段】    全体形状が大凡筒状又は環状に形成されている装飾部を備える装身具であって、前記装飾部の少なくとも何れか一方の端部は、見る方向によって特定の装飾的形状が視認される形状に形成された装飾用端部として形成されていることを特徴とする装身具とする。【選択図】図１
2006006973.tif 000002
【特許請求の範囲】
【請求項１】
全体形状が大凡筒状又は環状に形成されている装飾部を備える装身具であって、
前記装飾部の少なくとも何れか一方の端部は、見る方向によって特定の装飾的形状が視認される形状に形成された装飾用端部として形成されていることを特徴とする、装身具。
【請求項２】
前記装飾用端部は線対称形状に形成されている、請求項１に記載の装身具。
【請求項３】
前記装飾用端部は、直径方向に存在する領域分が傾斜して窪むか又は突起している、請求項１又は２に記載の装身具。
【請求項４】
前記装飾部が２つ組み合わされている装身具であって、
各装飾部の何れかの端面は、何れかの直径方向と交差する端面部分が、傾斜して窪むか又は突起している装飾用端部として形成されており、
当該２つの装飾部は、前記直径方向が直行する向きで、且つそれぞれの装飾用端部が、装身具の軸方向端面を形成するように組み合わされていることを特徴とする、装身具。
【発明の詳細な説明】
【技術分野】
【０００１】
本発明は、指輪、ブレスレット、或いはペンダントヘッドなどの装身具に関し、特に特定の方向から見ることによって、ハート型や幾何学的形状、又は動物などをモチーフした形状などの装飾的形状が視認される新規な装身具に関する。
【背景技術】
【０００２】
装身具（アクセサリー）としては、指輪、ブレスレット、ネックレス、ネクタイピン、カフスボタンなど、従来から様々なものが提供されており、これらは着用方法や着用部位との兼ね合いにより、そのおよその形状や装飾部分が特定されている。例えば、指輪やブレスレッド等は指や腕などに装着して使用されるものであることから、当然にその為の形状、即ち中空の略円筒形状やリング体形状に形成される必要がある。またこれら装身具は装飾を目的として使用（着用）されるものであることから、その装飾部分も、着用時において目立つ部分（例えば指輪にあっては手の甲に位置する部分）に施されているのが一般的である。特に指輪に関しては、リング自体がデザイン化されたファッションリングなども提供されているが、この場合でも、やはりリングに施されるデザインは、使用時（着用時）の状態を念頭において、使用時に十分な装飾的効果が発揮されるようにデザインされている。このことは、装身具自体が本来的に身につけて飾りとするものとして使用されるものであることから、至って当然のことである。
【０００３】
一方で装身具の中には、誕生日やその他の記念日における記念品や、或いは結婚指輪や婚約指輪などの誓いの品として使用されているのも多数存在する（特許文献１：特開平11-164714号公報参照）。そしてこのような目的で使用される身飾品の中には、結婚指輪や、ネクタイピン等のように男性が着用するものも存在する。
【特許文献１】特開平11-164714号公報
【発明の開示】
【発明が解決しようとする課題】
【０００４】
上記従前における結婚指輪もそうであるが、記念品乃至は誓いのために使用される装身具の多くは、異性間において共通のものが使用されることが殆どであり、その結果として男性が着用することも多い。そして男性も着用するものであることから、或る程度のデザインは施されているものの極めてシンプルなものが多いのも事実である。
【０００５】
併しながら、殊に結婚指輪について考察してみれば、当該結婚指輪は、共に生活をして一緒に幸せな家庭を築いていく証しとして着用されるものであることから、婚姻した男女間における誓いを表現したデザインであることが望ましい。この点に関しては、従来では男女において共通のデザインとした上で、指輪等の環状体の内周面に、記念の日付や名前、イニシアル等の表示部を刻設することが行われているに過ぎない。一方で、結婚指輪などは男性も着用するものであり、また老後も着用されるものであることから、あまりにも派手なデザインでは実用性に欠けてしまう。
【０００６】
そこで本発明は、着用する者同士が十分に満足できる程度に両者の誓いや思いが表現されており、且つ、常に着用する場合には、そのような誓いが表現されたデザインが看取されることなく、男性や高齢者でも気負うことなく着用できる装身具の提供を課題とする。
【課題を解決するための手段】
【０００７】
上記課題を解決する装身具として、本発明では、両者の誓いを表現した形状を、使用時（着用時）においては一体として視認されない部分で形成するなど、当該誓いを表した形状を、通常の注意力では認知されにくいように表現した装身具を提供する。
【０００８】
より具体的には、本発明にかかる装身具は、全体形状が大凡筒状又は環状に形成されている装飾部を備える装身具であって、前記装飾部の少なくとも何れか一方の端部は、見る方向によって特定の装飾的形状が視認される形状に形成された装飾用端部として形成されていることを特徴とする。
【０００９】
かかる装身具としては、少なくとも筒状（望ましくは中空円筒状）又は環状に形成されている装飾部を有することが必要であり、かかる装飾部は、ペンダントヘッドや、指輪の台部に載置される装飾（宝石等の代用として）等のように、装身具の一部を構成するものであっても、或いは指輪の腕（リング部分）や、ブレスレット等のように、装身具そのものを構成するものであっても良い。特に、装身具が装飾部で構成される場合（指輪やブレスレットなど）には、当然のことながら他の構造（更なる宝石や構造など）を伴うことも可能である。
【００１０】
そしてこの装飾部は筒状（望ましくは中空円筒状）又は環状に形成されていることから、その軸方向両側に端部が存在することになるが、少なくとも何れか一方の端部は、或る方向から見た場合に特定の装飾的形状が視認される形状に形成された装飾用端部として形成されることが必要である。即ち、本発明にかかる装身具では、この装飾用端部に、看者の見る方向によって、使用者の意思・決意、思い入れ、誓い、記念の出来事を象徴する形状が出現するようなデザインを施すことにより、前記課題を解決するものである。
【００１１】
このことは、特に、装身具が指輪又はブレスレットであり、この指輪の腕（リング）やブレスレット本体が本発明における装飾部として形成されている場合には、当該装飾用端部は、指輪（ブレスレット）における側面（軸方向端部）が該当する。このように形成された指輪（ブレスレット）においては、常には装飾が施されていない側面で特定の形状を形成する指輪（ブレスレット）となり、これ自体が、従来では何等提供されていない新規なものとなる。またこのように形成された指輪（ブレスレット）は、使用時（着用時）においては、指（手首）の存在により、当該装飾用端部全体が一見して看取されることはなく、特定の形状が第三者から視認されることはないのであるから、女性はもちろんのこと、男性や高齢者であっても何等羞恥心を感じることなく着用できる指輪が提供される。
【００１２】
このような特定の形状が出現する装飾用端部は、例えば線対称形状に形成することができる。より具体的には、直径方向に存在する領域分が傾斜して窪むか又は突起している形状に形成することができる。またこの装飾用端部は、特定の方向から見た時に視認される形状が、ハート型、菱形、クローバー形状、星型、楕円系など、線対称形状に形成するのみならず、動物や植物の全体や一部などを模写した形状として看者に視認されるような形状に形成することもできる。
【００１３】
更に本発明では、前記課題を解決するために、前記装飾部が２つ組み合わされている装身具であって、各装飾部の何れかの端面は、何れかの直径方向と交差する端面部分が、傾斜して窪むか又は突起している装飾用端部として形成されており、当該２つの装飾部は、前記直径方向が直行する向きで、且つそれぞれの装飾用端部が、装身具の軸方向端面を形成するように組み合わされていることを特徴とする装身具を提供する。
【００１４】
即ち、前記装飾部を対向状態に組み合わせ、両端方向に装飾用端部を存在させた装身具である。そして、この装身具においては、窪みと突起とが両端部で均衡し、全体のバランスが保たれていることから、違和感なく装着することのできる装身具（特に指輪、ブレスレット又はペンダントヘッド）となる。
【００１５】
以下、図面に示した実施の形態に基づいて、本発明の技術的思想を具体的に示す。但し、当然のことながら、以下に示す実施の形態は、本発明の好ましい一実施形態を示すに過ぎず、何等本発明の技術的思想を制限するものではない。
【発明を実施するための最良の形態】
【００１６】
以下、本発明の実施の形態を添付の図面を参照しながら説明する。
【００１７】
図１は、指輪やブレスレット等のようなリング状の装身具として具体化した態様を示しており、図１（Ａ）は正面図、同（Ｂ）は平面図、同（Ｃ）は右側面図、同（Ｄ）は斜視図、同（Ｅ）は底面図、同（Ｆ）は左側面図、同（Ｇ）は背面図を示している。
【００１８】
この図に示すリング状の装身具（指輪やブレスレットなど）は、中空筒状体に形成された装飾部11を２つ組み合わせた如き構造を有し、各装飾部における端面12の直径方向に存在する領域部分Ｓは傾斜状（又は湾曲状）に窪んで、当該端面全体として装飾用端部12を構成している。かかる領域部分Ｓは、装飾部の端面において、相対峙する部位に存在している。
【００１９】
このように形成された装飾用端部12は、平面方向から見た場合（図１（Ｂ））には、何ら特定の観念を想起することのない環状として認識され、一方で、窪みんだ部分同士の延長線上の斜視方向から見た場合（図１（Ｄ））には、ハート形状が認識されることになる。即ち、この装飾用端部12は、看者の見る方向によって特定の装飾的形状（この場合はハート型）が視認されるように形成されている。
【００２０】
特に、このような装飾用端部12は、窪んだ部分同士を結ぶ直線Ｌ（直径方向に延伸する直線）上の斜視方向から看取した場合に特定の形状が看取されるように形成する場合には、当該装飾用端部は、当該直線Ｌを軸とした線対称形状に形成されていることが望ましい。
【００２１】
また、２つの装飾部同士を組み合わせた如き形状の装身具10を形成する場合には、この図１に示すように、装飾用端部12が当該装身具10の端面を構成する向きであって、且つ各装飾部11における窪んだ部分同士を結ぶ直線Ｌが直行する向きに組み合わせた如き形態として形成されることが望ましい。直線Ｌ同士が交差する向きである場合には、各装飾部（装飾用端部）における窪みが９０°間隔で上下方向に交互に出現することになり、その結果、着用時における意匠上の不安定さを解消し、また着用時に回転した場合であっても、装飾的効果を損なわないようにすることができる為である。
【００２２】
また、このような装身具においては、装飾用端部12を他の周面13とは異なる色に形成する他、適宜宝石等を配置して、視認性を向上させることもできる。特に、この装飾用端部12を、周面13とは異なる色に形成する場合には、当該端部を構成する面（端面）と、他の周面とを色の異なる金属で構成することもできる。
【００２３】
更に、特にこのように形成された装身具10が結婚指輪などである場合には、その内周面であって、装飾用端部が特定形状（ハート型など）が視認される方向から目視できる位置に、記念日の日付やメッセージ、或いは名前やイニシャル等を刻設することも望ましい。
【００２４】
このように形成された装身具10は、通常の着用状態においては指や手首などに装着され、当該装飾用端部12の全体形状が看取される事は無いから、ハート型のような、特定の感情や思い入れを表現した形状は第三者に認識されることはなく、依って、男性や高齢者などでも何ら恥じることなく使用することができる。一方でそれぞれの使用者においては、感情や思い入れ、或いは誓い等を装身具内に形として明瞭に組み入れることができることから、十分な満足感を得ることができる。
【００２５】
特に本発明に係る装身具は、少なくとも装飾用端部12を備えることで上記のような効果が得られるのであるから、前記図１に示した態様の他、更に図２に示すようなリング状の装身具20とすることができる。特に、図２に示す装身具20は、前記図１に示したような、指輪やブレスレットなどに使用することができる装身具であって、その全体形状を問わず、装飾用端部22を必須の構成として備える装身具を示している。この図２中、（Ａ）は正面図、（Ｂ）は平面図、（Ｃ）は右側面図、（Ｄ）は斜視図を示している。
【００２６】
この図２に示す装身具（指輪やブレスレットなど）を具体的に実施するに際しては、その正面24や側面25に、従来の方法に従い、宝石や真珠、或いはその他の貴金属で構成された装飾具を配設一体化することができ、或いは外周面にエッチングその他の方法により各種の装飾を施すこともできる。
【００２７】
また、装飾用端部22の形状に関しては、例えば図３に示すように、図２において窪んでいた領域を、逆に突起させることもできる。このように、直径方向の対峙する領域を突起させた装飾用端部22にあっては、その直径方向の斜め情報から見た場合には、逆向きのハート形状が看取され、これが装飾部31（この図では、装身具30と同じ）の側面に設置された図形36(特に三角形等)と組み合わさって、大凡スペードの如き形状を表すことができる（図３（Ｄ）の斜視図参照）。また、この図３に示すように外周面にもデザインを施した場合には、このデザインは通常の使用時においても十分装飾的効果を高めることができるため（図３（Ａ）の正面図参照）、一層望ましい装身具となる。なお、図３（Ｂ）は、この装身具（指輪やブレスレットなど）の平面図をあらわし、図３（Ｃ）は側面図をあらわしている。
【００２８】
そして図４は、前記図１に示した装飾部11を台部41として使用して構成した装身具40（指輪又はブレスレット）を示している。この図４において、（Ａ）はリング状の装身具に設けられた装飾部41（台部）に対して、宝石などの装飾物47を配置する状態を示しており、その結果製造される装身具40を図４（Ｂ）に示している。特に、この図に示すように装飾部41を台部として使用する装身具40にあっては、この台部41に設置される装飾物47（宝石など）は、特定の方向から装飾用端部42の全体を観察する際の障害となることの無い様に形成されることが望ましく、本実施の形態では、装飾部41（台部）における装飾用端部42の形状に合わせて、直径方向に窪んだ宝石を配置している。
【００２９】
このように形成された装身具40（指輪又はブレスレット）では、正面又は背面の斜め上方から見た場合にはハート型が出現し（図４（Ｂ））、一方で図４（Ｃ）に示すように平面（上面）方向から見た場合には、通常の指輪と大差ない形状を呈することができることから、特定の感情などを形に表しながら、それをあからさまにしないで身に付けることのできる装身具が実現する。
【００３０】
なお、この様に装飾部41を台部として使用する装身具40は、特に宝石等を配置することなく、図４（Ａ）に示した状態40'においても十分使用することができる。
【００３１】
また、図４に示した装身具40は、少なくとも台部41における装飾用端部42が目視可能に設けられていれば良いことから、図５に示すように、指輪50とした場合の腕部58（リング）などは適宜形状に形成することができ、またこの腕部58（リング）に他のデザインを施すことも自由である。
【００３２】
そして図６は、上記図１で説明した装飾部11を用いて形成されたペンダントを示しており、図面中の鎖線はチェーンXなどをあらわしている。そして、この実施の形態においては、図１に示す装身具10において、装飾部11同士を組み合わせた時に生じるような孔部19にチェーンXを通して着用できるように構成されている。但し、当然のことながら、チェーンXはリング体10の中央を通して設けることもでき、更に図２〜５に示したような装身具をペンダントヘッドとして使用することもできる。
【００３３】
更に、上記図１〜６に示したような装身具は、その大きさ等を任意に変更すると共に、着用部位に応じた簡易な変更を行うことで、イヤリング、ネクタイピン、カフスボタン、バングル、ブレスレット、アンクレット、ピアス、ベルトバックル、ヘアアクセサリー等の他、キーホルダーや携帯電話機用のストラップ等として具体的に実施することもできる。
【産業上の利用可能性】
【００３４】
本発明にかかる身飾具は、各種装身具において実施することができ、特に、一般的には男性や高齢者において受け入れられ難いハート型などを目立たせること無く表現できることから、特に結婚指輪など、特定の意味を込めて使用される装身具を取り扱う分野において有効に利用される。
【図面の簡単な説明】
【００３５】
【図１】指輪又はブレスレットなどの装身具の実施態様を示す６面図
【図２】他の指輪又はブレスレットなどの装身具の実施態様を示す図面
【図３】更に他の指輪又はブレスレットなどの装身具の実施態様を示す図面
【図４】更に他の指輪又はブレスレットなどの装身具の実施態様を示す図面
【図５】更に他の指輪又はブレスレットなどの装身具の実施態様を示す斜視図
【図６】ネックレスなどの装身具の実施態様を示す図面
【符号の説明】
【００３６】
10、20、30、40、50    装身具
11、31、41            装飾部
12、22、42            装飾用端部
47                    装飾物
Ｘ                    チェーン
Ｓ                    領域部分
【図１】
2006006973.tif 000003
【図２】
2006006973.tif 000004
【図３】
2006006973.tif 000005
【図４】
2006006973.tif 000006
【図５】
2006006973.tif 000007
【図６】
2006006973.tif 000008